(57)【要約】【課題】用便時にトイレ室で使用する局部洗浄装置の変更はもちろん、他のオプションユニットも容易に利用でき、品質の安定と生産性の向上を図れるトイレ利用装置を提供することにある。【解決手段】用便時にトイレ室で利用する負荷部１５０を動作させるのに外部からの操作による情報を入力する操作入力部１１０と、負荷部を動作させるのに必要な電源を供給する電源部１４０と、操作入力部からの操作情報を基にして負荷部１５０へ情報を送信する情報通信部１１０と、情報通信部および電源部に、負荷部を取替え可能に電気的に接続する接続部１３０を有するトイレ利用本体１００を備えたもので、負荷部を種々、変更した場合でも共通してトイレ利用本体を使用でき、品質の安定化と生産性の向上が図れる。【選択図】図１
2009002033.tif 000002
【特許請求の範囲】
【請求項１】
用便時にトイレ室で利用する負荷部を動作させるため外部からの操作による情報を入力する操作入力部と、前記負荷部を動作させるのに必要な電源を供給する電源部と、前記操作入力部からの操作情報に基づき判断し、操作情報に対応した前記負荷部へ情報を送信する情報通信部と、前記情報通信部および前記電源部に、前記負荷部を取替え可能に電気的に接続する接続部を備えたトイレ利用本体を有するトイレ利用装置。
【請求項２】
トイレ利用本体の接続部に接続される負荷部は、情報通信部からの情報に基づき前記負荷部の動作を制御する制御部を備えてなる請求項１記載のトイレ利用装置。
【請求項３】
負荷部は、便座に暖房ヒータを設けた暖房便座ユニット、人体の局部を洗浄水で洗う衛生洗浄ユニット、用便後の洗浄した人体局部を乾燥させる乾燥ユニット、トイレ室の匂いを浄化する脱臭ユニット、負荷部の動作、操作情報等を表示する表示ユニット、前記便座の少なくとも便座蓋を開閉する開閉ユニット、映像等を観賞できるＡＶ機能ユニット等であり、トイレ利用本体は、前記負荷ユニットの中から選んだ少なくとも一つ以上の負荷ユニットを接続してなる請求項１または請求項２に記載のトイレ利用装置。
【請求項４】
トイレ利用本体は、便座を倒立自在に設け、かつ便器の後部上面に設置し、少なくとも一つ以上の負荷部を一体に設けてなる請求項１〜３のいずれか１項に記載のトイレ利用装置。
【請求項５】
トイレ利用本体は、接続部に生産工程または顧客先で負荷ユニットを接続してなる請求項１〜４のいずれか１項に記載のトイレ利用装置。
【請求項６】
トイレ利用本体の操作入力部は、外部から操作情報を送信する遠隔操作装置としてなる請求項１〜５のいずれか１項に記載のトイレ利用装置。
【発明の詳細な説明】
【技術分野】
【０００１】
本発明は、トイレ室で用便をする時に着座する便座、用便後の人体局部を洗浄水で洗う局部洗浄装置等を利用するためのトイレ利用装置に関するものである。
【背景技術】
【０００２】
従来から人体の局部洗浄用の衛生洗浄装置を内蔵した機能部ケーシングを便器の後部上面に横長に設け、これに便座と便座蓋を取付け、さらに人体に温風をあてて暖める室内暖房ユニットをオプションとしてコネクタを介して設け、他に脱臭装置や冷房装置等のユニットもオプションとして用いることが知られている（例えば、特許文献１参照）。
【特許文献１】特開平１０−２５２１２２号公報
【発明の開示】
【発明が解決しようとする課題】
【０００３】
上記従来のトイレ装置には、機能部ケーシングに他の機能を付加した衛生洗浄装置に変更して機能部ケーシングを取り替えて使用することは開示されていない。また、このトイレ装置ではオプションとしてのユニットに操作部と制御部を設けるか、または衛生洗浄装置の制御部に前記ユニットの制御を兼ねさせ、かつ衛生洗浄装置の操作部に前記ユニットの操作部も設ける構成にしてある。
【０００４】
従って、この前者のトイレ装置では、別々に衛生洗浄装置とオプションの操作部が位置するため、前記操作部の位置の分散による使い勝手の悪さ、衛生洗浄装置とオプションの設置場所に苦慮すること等が予想され、また後者のトイレ装置では衛生洗浄装置またはオプションの一方の制御部分が故障等で交換した際、関係のない他方の制御部分も含めて全体の動作確認が必要になることが予想され、品質および生産、アフターサービスで面倒になることが考えられる。
【０００５】
上記従来技術の課題に鑑み、本発明が解決しようとする課題は、用便時にトイレ室で使用する負荷部である衛生洗浄装置の機能アップした装置への変更はもちろん、他の負荷部としてのオプションユニットの使用にも共通に利用でき、品質の安定と生産性の向上を図れるトイレ利用装置を提供することにある。
【課題を解決するための手段】
【０００６】
上記課題を解決するために、本発明のトイレ利用装置は、用便時にトイレ室で利用する負荷部を動作させるため外部からの操作による情報を入力する操作入力部と、前記負荷部を動作させるのに必要な電源を供給する電源部と、前記操作入力部からの操作情報に基づき判断し、操作情報に対応した前記負荷部へ情報を送信する情報通信部と、前記情報通信部および前記電源部に、前記負荷部を取替え可能に電気的に接続する接続部を備えたトイレ利用本体を有するもので、負荷部を種々、変更した場合でも共通してトイレ利用本体を使用でき、品質の安定化と生産性の向上を図るものである。
【発明の効果】
【０００７】
本発明のトイレ利用装置は、負荷部を種々変更した場合でもトイレ利用本体を共用できるから、品質の安定化と生産性の向上を図ることができる。
【発明を実施するための最良の形態】
【０００８】
第１の発明は、用便時にトイレ室で利用する負荷部を動作させるため外部からの操作による情報を入力する操作入力部と、前記負荷部を動作させるのに必要な電源を供給する電
源部と、前記操作入力部からの操作情報に基づき判断し、操作情報に対応した前記負荷部へ情報を送信する情報通信部と、前記情報通信部および前記電源部に、前記負荷部を取替え可能に電気的に接続する接続部を備えたトイレ利用本体を有するトイレ利用装置である。
【０００９】
これにより、トイレ利用本体は、情報通信部が操作入力部による操作情報に対応した負荷部への情報であるかどうかの判断をして送信する簡単な構成にすることが可能になり、トイレ利用装置の品質の安定化と負荷部の制御部では、操作入力部からの操作が負荷部に対応するかの判断がなくなり、簡単かつ負荷部固有の制御に特化することも可能になるとともに、接続部に接続する負荷部を種々変更しても共通に使用できる利点と低コスト化に繋げられる。
【００１０】
第２の発明は、特に、第１の発明におけるトイレ利用本体の接続部に接続される負荷部に、情報通信部からの情報に基づき前記負荷部の動作を制御する制御部を備えたトイレ利用装置で、これにより負荷部の制御部はトイレ利用本体の情報通信部の機能を除く分だけ、簡単な制御部にでき、また、その負荷部固有の本来の制御に特化することが可能になり、負荷部の品質安定化と機能向上に繋がる制御が可能になる。
【００１１】
第３の発明は、特に、第１の発明または第２の発明において、負荷部は便座に暖房ヒータを設けた暖房便座ユニット、人体の局部を洗浄水で洗う局部洗浄ユニット、用便後の洗浄した人体局部を乾燥させる乾燥ユニット、トイレ室の匂いを浄化する脱臭ユニット、負荷部の動作、操作情報等の表示ユニット、前記便座の少なくとも便座蓋を開閉する開閉ユニット、映像等を観賞できるＡＶ機能ユニット等であり、トイレ利用本体は、前記負荷ユニットの中から選んだ少なくとも一つ以上の負荷ユニットを接続してなるトイレ利用装置である。
【００１２】
これにより、負荷部はユニット化しているので、ＡＶ機能ユニット等を除きトイレ利用本体に組み込んで一体化することが可能になり、コンパクト化による便器の後部上面への設置が容易になるとともに、比較的に狭いトイレ室を広くすることに貢献でき、さらにトイレ利用本体の外装ケースの利用も可能になり安価にできる。
【００１３】
また、トイレ利用本体の接続部には種々の負荷ユニットの中から選んで接続できるので、予めトイレ利用本体と種々の負荷ユニットをそれぞれ別工程で造っておき、さらに組み合わせ工程でトイレ利用本体の接続部に選んだ少なくとも一つ以上の負荷ユニットを接続できるので、生産性の向上を図ることが可能になるとともに、生産工程で種々の負荷ユニットをトイレ利用本体に組み合わせられ、市場の販売状況を勘案しての生産にも対応が可能になる。
【００１４】
第４の発明は、特に、第１〜第３のいずれか１つの発明において、トイレ利用本体は便座を倒立自在に設け、かつ便器の後部上面に設置し、少なくとも一つ以上の負荷部を一体に設けたトイレ利用装置で、これによりトイレ利用本体は負荷部を一体にしているので、ＡＶ機能ユニット等を除き、コンパクト化による便器の後部上面への設置が容易になるとともに、比較的に狭いトイレ室を広くすることに貢献でき、さらにトイレ利用本体の外装ケースの利用で安価にできる。
【００１５】
第５の発明は、特に、第１〜第４のいずれか１つの発明において、トイレ利用本体は接続部に生産工程または顧客先で負荷部を接続したトイレ利用装置で、これによりトイレ利用本体は生産工程でも顧客先でも負荷部を接続できるので、市場の販売状況を勘案しての生産に対応が可能であるとともに、顧客が１つの負荷部を接続したトイレ利用本体を使用した後に、他の機能の負荷部も組み合わせて使用したい要望があった場合にアフターサー
ビス者による負荷部の追加接続することが可能になり、いつでも顧客の要望に応じられる。
【００１６】
第６の発明は、特に、第１〜第５のいずれか1つの発明において、トイレ利用本体の操作入力部は外部から操作情報を送信する遠隔操作装置としたトイレ利用装置で、これによりトイレ利用本体の操作入力部はトイレ利用本体から離してトイレ室の壁等に設置することも可能になり、例えば便座に着座しての操作が容易になり種々の負荷ユニットの使い勝手がよくなる。
【００１７】
以下、本発明の実施の形態について、図面を参照しながら説明する。なお、本実施の形態によって本発明が限定されるものではない。また、本実施の形態の説明において、同一構成で同一作用効果を奏するところには同一符号を付して重複した説明を行わないものとする。
【００１８】
（実施の形態１）
図１は、本発明の実施の形態１におけるトイレ利用装置を示すブロック図である。トイレ利用装置を成すトイレ利用本体１００は、合成樹脂で形成したケーシングに、次に説明するユニット化した構成要素を内装して図２に示す便器７００の後部上面に横長に設置して使用するものである。そして、このトイレ利用本体１００には図２に示すように便座４００と便座蓋５００が便器７００の上面の位置より開閉自在に取り付けている。
【００１９】
トイレ利用本体１００は、用便時にトイレ室１０００で利用する複数の負荷部１５０を動作させるため外部からの操作による情報を入力する操作入力部１１０と、それぞれの負荷部１５０を動作させるのに必要な電源を供給する電源部１４０と、操作入力部１１０からの負荷部１５０を使用する操作情報に基づき、その操作情報に対応した負荷部１５０のどの負荷部かを判断して、その負荷部へ情報を送信する情報通信部１２０と、情報通信部１２０および電源部１４０に、負荷部１５０を取替え可能に電気的に接続する接続部１３０を備えたものである。
【００２０】
操作入力部１１０は、トイレ利用本体１００に一体に操作部として設けるか、図２のように別に構成してトイレ室１０００の室内に設置し、トイレ利用本体１００とは有線または無線で操作信号を送る構成にしても良い。
【００２１】
情報通信部１２０は、マイクロコンピュータおよびその周辺回路からなり、操作入力部１１０から送信された操作信号が複数の負荷部１５０のどれを使用するものか判断し、その操作情報に対応した負荷部１５０へ情報を送信するとともに、複数の負荷部１５０を利用する際は、負荷部１５０の利用順番も判断してそれぞれの負荷部１５０へ情報を送信するプログラムを実行する構成である。つまり、情報通信部１２０はトイレ利用本体１００として組み込んだ全ての負荷部１５０を利用するプログラムを有しているものの、どの負荷部を利用するか、そして複数の負荷部を利用する際には利用する順番を判断するだけの簡単な構成で、個々の負荷部１５０の利用に当って、その負荷部の機能を発揮させる特有の動作をさせるプログラム等はそれぞれの負荷部の制御部に集中させるようにするものであり、つまり、操作入力部１１０から発せられた操作信号が、負荷部１５０のどれに対応する信号かを判断する。
【００２２】
接続部１３０は、負荷部１５０を動作させるため電源と操作信号を送る一対のコンセントとプラグを複数備えてで構成され、一方はそれぞれの負荷部１５０側に設置するものである。
【００２３】
電源部１４０は、図２に示すようにトイレ利用本体１００から電源コードを導出してト
イレ室１０００の壁に設けてある電源コンセントにプラグを差し込んで交流電源を得るとともに、トイレ利用本体１００はもちろん、各負荷部１５０に必要な電力を供給するものである。
【００２４】
負荷部１５０は、本実施の形態として人体の局部を洗浄水で洗う衛生洗浄ユニットである負荷部Ａ、便座に暖房ヒータを設けた暖房便座ユニットである負荷部Ｂ、用便後の洗浄した人体局部を乾燥させる乾燥ユニットである負荷部Ｃ、トイレ室の匂いを浄化する脱臭ユニットである負荷部Ｄ、各負荷部の動作、操作情報等を表示する表示ユニットである負荷部Ｅ、便座４００の少なくとも便座蓋５００を開閉する開閉ユニットである負荷部Ｆ、映像等を観賞できるＡＶ機能ユニットである負荷部Ｇの６種類を利用できる構成にしてある。
【００２５】
それぞれ負荷部１５０は、ユニット化されてトイレ利用本体１００の接続部１３０へ取替え可能に電気的に接続されてトイレ利用本体１００のケーシングに内蔵され、情報通信部１２０からの情報に基づき負荷部１５０を、特有の機能が発揮できるように動作を制御する制御部として、負荷部Ａは負荷Ａ制御部、負荷部Ｂは負荷Ｂ制御部、負荷部Ｃは負荷Ｃ制御部、負荷部Ｄは負荷Ｄ制御部、負荷Ｅは負荷Ｅ制御部、負荷部Ｆは負荷Ｆ制御部、負荷部Ｇは負荷Ｇ制御部を備えている。
【００２６】
これら負荷部１５０は、トイレ利用本体１００に一つ以上、または全てを、生産者または使用者の判断により選び組み込むことが可能なもので、つまり生産者においては販売状況等を勘案して判断でき効率的な生産ができ、また使用者においては1つの負荷部１５０を利用できるトイレ利用本体１００を購入して利用後に、また他の負荷ユニットを、好み等を考慮して追加することを判断することができ便利である。
【００２７】
従って、この負荷部１５０はトイレ利用本体１００に、生産工程または顧客先で接続部１３０に接続して設けるものである。また、負荷部１５０は、追加した負荷部１５０が使用者の環境変化等でいらなくなれば、接続部１３０から取り外して削除することも可能である。
【００２８】
このように本実施の形態におけるトイレ利用本体１００は、情報通信部１２０が、操作入力部１１０からの発せられる全ての操作情報に基づき、それぞれの負荷部１５０のどの負荷部と複数の負荷部１５０の利用順への情報であるかを判断して送信する簡単な構成にすることができるとともに、トイレ利用本体は複数の負荷部を利用するのに共用でき、品質の安定化と低コスト化が図れる。
【００２９】
また、トイレ利用本体１００の情報通信部１２０に、操作入力部１１０からの操作情報に基づき、それぞれの負荷部１５０のどの負荷部と複数の負荷部１５０の利用順への情報であるかを判断する制御部を集中化させているので、逆にそれぞれの負荷部の制御部は、情報通信部の機能を除く分だけ簡単なものにできるとともに、それぞれの負荷部、固有の制御に特化することも可能になる。
【００３０】
さらに、トイレ利用本体１００は生産工程でも、顧客先でもそれぞれの負荷部１５０を接続できるので、市場の販売状況等を勘案しての生産に対応が可能であるとともに、顧客が1つの負荷部を接続したトイレ利用本体を使用した後に、他の機能の負荷部も組み合わせて使用したい要望があった場合にアフターサービス者による負荷部の追加接続することも可能になり、いつでも顧客の要望に応じられる。
【００３１】
さらにまた、トイレ利用本体１００に追加した負荷部１５０は、使用者の環境変化等で不要になった際、アフターサービス者による接続部からの負荷部１５０の取り外しもでき
、便利であるとともに、その際にトイレ利用本体１００には関係ないので機能を損ねさすようなこともなく品質の安定化にも繋がるものである。
【００３２】
＜１＞  衛生洗浄ユニットおよびそれを備えるトイレ利用装置の外観
図２は、本発明の実施の形態１におけるトイレ利用装置を便器７００の後部上面に横長に設けて、これに便座４００、便座蓋５００を開閉自在に取り付けた外観斜視図である。このトイレ利用本体１００は、人体の局部を洗浄水で洗う衛生洗浄ユニットである負荷部Ａを利用する形態であり、トイレ室１０００内に設置され、便座４００および便座蓋５００が開閉可能に取り付けられている。また、トイレ利用本体１００には、図４に示す衛生洗浄ユニットである負荷部ＡのバージョンがＡ１の負荷部（以下、負荷部Ａ１という）を設けられるとともに、後述の洗浄制御部９０が内蔵される。
【００３３】
図２では、トイレ利用本体１００の正面上部に設けられる着座センサ６１０が示されている。この着座センサ６１０は、例えば反射型の赤外線センサである。この場合、着座センサ６１０は、人体から反射された赤外線を検出することにより便座４００上に使用者が存在することを検知する。
【００３４】
さらに、図２では、トイレ利用本体１００の正面下部に設けられる便器ノズル４０が便器７００の内側に突出している状態が示されている。この便器ノズル４０は、上述の衛生洗浄ユニット（負荷部Ａ１）に接続されている。
【００３５】
衛生洗浄ユニット（負荷部Ａ１）は、図示しない水道配管に接続されている。これにより、衛生洗浄ユニット（負荷部Ａ１）は、水道配管から供給される洗浄水を便器ノズル４０に供給する。それにより、便器ノズル４０から便器７００の内面の広い範囲に洗浄水が噴出される（便器プレ洗浄）。または、便器ノズル４０から便器７００の内面の背面側に洗浄水が噴出される（便器後部洗浄）。
【００３６】
また、衛生洗浄ユニット（負荷部Ａ１）は、後述のノズル部２０（図４）に接続されている。これにより、衛生洗浄ユニット（負荷部Ａ１）は、水道配管から供給される洗浄水をノズル部２０に供給する。それにより、ノズル部２０から使用者の局部に洗浄水が噴出される。
【００３７】
遠隔操作装置３００は、操作入力部１１０として本実施の形態ではトイレ利用本体１００から分離され、複数のスイッチが設けられている。遠隔操作装置３００は、例えば便座４００上に着座する使用者が操作可能な場所、例えばトイレ室１０００の壁に取り付けられる。
【００３８】
入室検知センサ６００は、トイレ質１０００の入口等に取り付けられる。入室検知センサ６００は、例えば反射型の赤外線センサである。この場合、入室検知センサ６００は、人体から反射された赤外線を検出した場合にトイレ室１０００内に使用者が入室したことを検知する。
【００３９】
洗浄制御部９０（図４）は、遠隔操作装置３００、入室検知センサ６００および着座センサ６１０から送信される信号を入力したトイレ利用本体１００からの情報に基づいて、衛生洗浄ユニット（負荷部Ａ）の各部の動作を制御する。
【００４０】
本実施の形態においては、衛生洗浄ユニット（負荷部Ａ１）をトイレ装置１００に接続した場合、遠隔操作装置３００や入室検知センサ６００などの情報により、便器７００の内面の広い範囲、又は、背面側に洗浄水が噴出される。さらに使用者の局部にも洗浄水噴出されることができる。このように、トイレ利用本体１００に衛生洗浄ユニット（負荷部
Ａ１）のような負荷部Ａを接続する場合、トイレ利用本体１００や他の負荷部の品質を保ちつつ、安価で容易に負荷部を付加することができる。また、衛生洗浄ユニット（負荷部Ａ１）をトイレ利用本体１００から削除する場合でも、トイレ利用本体や他の負荷部の品質を保ちつつ、容易に負荷部を削除することができる。
【００４１】
＜２＞  遠隔操作装置の構成
図３は、図２に示す遠隔操作装置３００の正面図である。遠隔操作装置３００は、コントローラ本体部３０１の下部にコントローラ蓋部３０２が開閉自在に設けられた構造を有する。図３（ａ）に示すように、コントローラ蓋部３０２が閉じられた状態で、コントローラ本体部３０１の上部には負荷部部Ｃの乾燥スイッチ３２０、洗浄強さ調整スイッチ３２２、３２３および位置調整スイッチ３２５、３２６が設けられ、コントローラ蓋部３０２には負荷部の停止スイッチ３１１、衛生洗浄ユニットのおしりスイッチ３１２およびビデスイッチ３１３が設けられている。
【００４２】
使用者により、上記各スイッチが操作される。これにより、遠隔操作装置３００から図２のトイレ利用本体１００に各スイッチに応じた所定の信号が無線送信される。トイレ利用本体１００は、受信した信号を判断して衛生洗浄ユニット（負荷部Ａ１）の洗浄制御部９０（図４）に送信する。受信した信号に基づいて洗浄制御部９０（図４）は各構成部の動作を制御する。
【００４３】
例えば、使用者がおしりスイッチ３１２またはビデスイッチ３１３を操作することにより、ノズル部２０（図４）から使用者の局部に洗浄水が噴出される。また、使用者が停止スイッチ３１１を操作することにより、ノズル部２０から使用者の局部への洗浄水の噴出が停止される。
【００４４】
使用者が強さ調整スイッチ３２２、３２３を操作することにより、使用者の局部に噴出される洗浄水の流量および圧力等が調整される。
【００４５】
さらに、使用者が位置調整スイッチ３２５、３２６を操作することにより、おしりノズル２１（図４）またはビデノズル２２（図４）の位置が調整される。それにより、使用者の局部への洗浄水の噴出位置が調整される。
【００４６】
図２（ｂ）に、コントローラ蓋部３０２が開かれた状態の遠隔操作装置３００の正面図が示されている。図２（ｂ）に示すように、コントローラ蓋部３０２により覆われるコントローラ本体部３０１の下部には、上述の停止スイッチ３１１、おしりスイッチ３１２およびビデスイッチ３１３に加えて、便座蓋または便座の自動開閉スイッチ３３１、洗浄水の水温調整スイッチ３３２、便座温度調整スイッチ３３３、除菌スイッチ３３５および便器洗浄スイッチ３３６が設けられている。
【００４７】
これらのスイッチが操作される場合にも、遠隔操作装置３００からトイレ利用本体１００に各スイッチに応じた所定の信号が無線送信される。これにより、トイレ利用本体１００に無線送信された信号に対応した負荷部１５０がトイレ利用本体１００に接続されている場合、トイレ利用本体１００から各負荷部の制御部に情報が送られ、各負荷部の制御部は、受信した信号に基づいて各構成部の動作を制御する。
【００４８】
自動開閉スイッチ３３１はつまみにより構成されている。使用者が自動開閉スイッチ３３１のつまみを操作することにより、便座蓋５００（図２）の開閉動作が設定される。すなわち、自動開閉スイッチ３３１のつまみがオンの位置にある場合、使用者のトイレットルームへの入室、退室に応じて便座蓋５００が開閉される。
【００４９】
また、使用者が除菌スイッチ３３５を操作することにより、トイレ利用本体１００の洗浄水供給機構に銀イオンを含む洗浄水が流れ、除菌動作が行われる。
【００５０】
自動開閉スイッチ３３１と同様に、便器洗浄スイッチ３３６はつまみにより構成されている。使用者が便器洗浄スイッチ３３６のつまみを操作することにより、便器ノズル４０による便器プレ洗浄および便器後部洗浄の動作が設定される。
【００５１】
すなわち、便器洗浄スイッチ３３６のつまみがオンの位置にある場合、使用者のトイレ室への入室に応じて便器ノズル４０から便器７００内部の広い範囲に洗浄水が噴出される。また、使用者の便座４００への着座中に便器ノズル４０から便器７００の内面の背面側に洗浄水が噴出される。
【００５２】
このように本実施の形態において、トイレ利用本体１００に複数の負荷部１５０が接続されている場合、各負荷部に対応した所定の無線信号を遠隔操作装置３００などから入力したトイレ利用本体１００は、各負荷部の制御部に情報を送ることができ、各負荷部の制御部はその情報を基に負荷部を制御する。
【００５３】
＜３＞  衛生洗浄ユニット（負荷部Ａ１）における給水系および制御系の構成
図４は、衛生洗浄ユニット（負荷部Ａ１）とトイレ利用本体１００の構成を示す模式図である。図４に示すように、衛生洗浄ユニット（負荷部Ａ１）は、分岐水栓２、ストレーナ４、逆止弁５、定流量弁６、止水電磁弁７、流量センサ８、熱交換器９、ポンプ１１、バッファタンク１２、人体用切替弁１３、ノズル部２０、バキュームブレーカ３１、６１、便器ノズル４０、便器ノズルモータ４０ｍ、ランプ５０および洗浄制御部９０を含む。
【００５４】
ノズル部２０は、おしりノズル２１、ビデノズル２２およびノズル洗浄ノズル２３を含み、人体用切替弁１３は切替弁モータ１３ｍを含む。
【００５５】
図４に示すように、水道配管１には分岐水栓２が介挿される。分岐水栓２と熱交換器９との間に接続される配管３には、ストレーナ４、逆止弁５、定流量弁６、止水電磁弁７および流量センサ８が順に介挿される。熱交換器９と人体用切替弁１３との間に接続される配管１０には、ポンプ１１およびバッファタンク１２が介挿される。
【００５６】
人体用切替弁１３の複数のポートにノズル部２０のおしりノズル２１、ビデノズル２２およびノズル洗浄ノズル２３がそれぞれ接続される。
【００５７】
バキュームブレーカ３１は、止水電磁弁７と流量センサ８との間の配管３から延びる分岐配管３０に接続され、熱交換器９および便器ノズル４０の洗浄水噴出口よりも上方の位置に配置される。バキュームブレーカ３１には、分岐配管３２の一端が接続される。分岐配管３０と分岐配管３２とはバキュームブレーカ３１を介して連結される。便器ノズル４０は、分岐配管３２の他端に接続される。
【００５８】
便器ノズルモータ４０ｍおよびランプ５０は、便器ノズル４０の近傍に取り付けられる。バキュームブレーカ６１はバッファタンク１２に設けられ、熱交換器９よりも上方の位置に配置される。なお、バキュームブレーカ６１およびバッファタンク１２は一体的に形成されている。したがって、バッファタンク１２も熱交換器９よりも上方の位置に配置される。
【００５９】
次に、衛生洗浄ユニットを接続しているトイレ利用１００からの情報を基に、衛生洗浄ユニット（負荷部Ａ１）での洗浄水の流れおよび洗浄制御部９０による衛生洗浄ユニット（負荷部Ａ１）の各構成部の制御について説明する。
【００６０】
水道配管１を流れる浄水が、洗浄水として分岐水栓２によりストレーナ４に供給される。これにより、洗浄水に含まれるゴミおよび不純物等はストレーナ４により除去される。次に、逆止弁５により配管３内における洗浄水の逆流が防止され、定流量弁６により配管３内を流れる洗浄水の流量が一定に維持される。そして、止水電磁弁７により熱交換器９への洗浄水の供給状態が切替えられる。止水電磁弁７の動作は、洗浄制御部９０により制御される。
【００６１】
配管３において、流量センサ８は、配管３内を流れる洗浄水の流量を測定し、洗浄制御部９０に測定流量値を与える。熱交換器９は、配管３を通して供給される洗浄水を所定の温度に加熱する。熱交換器９の動作は、流量センサ８により測定された測定流量値に基づいて洗浄制御部９０により制御される。続いて、熱交換器９により加熱された洗浄水が、ポンプ１１によりバッファタンク１２を通して人体用切替弁１３に圧送される。ポンプ１１の動作は、洗浄制御部９０により制御される。
【００６２】
バッファタンク１２は、加熱された洗浄水の温度緩衝部として作用する。これにより、人体用切替弁１３に圧送される洗浄水の温度むらの発生が抑制される。なお、熱交換器９とバッファタンク１２との合計の容量は、１５ｃｃ〜３０ｃｃであることが好ましく、２０ｃｃ〜２５ｃｃであることがより好ましい。
【００６３】
人体用切替弁１３においては、切替弁モータ１３ｍが動作することにより、ポンプ１１から圧送された洗浄水が、おしりノズル２１、ビデノズル２２およびノズル洗浄ノズル２３のいずれかに供給される。これにより、おしりノズル２１、ビデノズル２２およびノズル洗浄ノズル２３のいずれかから洗浄水が噴出する。切替弁モータ１３ｍの動作は、洗浄制御部９０により制御される。おしりノズル２１およびビデノズル２２は、使用者の局部の洗浄を行うために用いられる。ノズル洗浄ノズル２３は、おしりノズル２１およびビデノズル２２の便器７００内に突出する部分を洗浄するために用いられる。
【００６４】
止水電磁弁７から熱交換器９に供給される洗浄水のうちノズル部２０において使用されない余剰な洗浄水は、分岐配管３０、分岐配管３２および便器ノズル４０を介して捨て水として便器７００（図１）内に流される。すなわち、分岐配管３０および分岐配管３２は捨て水回路として機能する。
【００６５】
なお、本例においては、熱交換器９と便器ノズル４０との間にバキュームブレーカ３１が設けられ、熱交換器９とノズル部２０との間にバキュームブレーカ６１が設けられている。それにより、熱交換器９内の洗浄水が分岐配管３０、分岐配管３２および便器ノズル４０を介して外部に流出することならびに配管１０およびノズル部２０を介して外部に流出することが防止される。その結果、熱交換器９の空焚きが防止される。
【００６６】
また、バキュームブレーカ３１により、便器ノズル４０側からの汚水等の逆流が防止されるとともに、バキュームブレーカ６１によりノズル部２０側からの汚水等の逆流が防止される。
【００６７】
また、バッファタンク１２とバキュームブレーカ６１とが一体的に設けられているので、本体部２００を小型化することができる。また、バキュームブレーカ６１によりバッファタンク１２内の冷水が排出されるので、おしり洗浄時に、おしりノズル２１から冷水が噴出されることを防止することができる。
【００６８】
本実施の形態においては、衛生洗浄ユニット（負荷部Ａ１）をトイレ利用本体１００に接続した場合、遠隔操作装置３００や入室検知センサ６００などの情報により、衛生洗浄
ユニット（負荷部Ａ１）の洗浄制御部９０が各構成部を制御することで、使用者の局部にも洗浄水噴出されることができる。このように、トイレ利用本体１００に衛生洗浄ユニット（負荷部Ａ１）のような負荷部を接続する場合、トイレ利用本体や他の負荷部の品質を保ちつつ、安価で容易に負荷部を付加することができる。また、衛生洗浄ユニット（負荷部Ａ１）をトイレ利用本体１００から削除する場合でも、トイレ利用本体や他の負荷部の品質を保ちつつ、容易に負荷部を削除することができる。
【００６９】
＜４＞  衛生洗浄ユニット（負荷部Ａ）の他のバージョンの構成例
図５は、衛生洗浄ユニット（バージョンが負荷部Ａ１）の他のバージョンの構成例（以下、負荷部Ａ２という）を示す模式図である。図５の衛生洗浄ユニット（負荷部Ａ２）が図４の衛生洗浄ユニット（負荷部Ａ１）と異なるのは以下の点で、それ以外の構成並びに作用効果は同じである。
【００７０】
図５の衛生洗浄ユニット（負荷部Ａ２）においては、配管３における止水電磁弁７と流量センサ８との間にイオン溶出装置７０が介挿されている。イオン溶出装置７０は、洗浄制御部９０により制御され、配管３を流れる洗浄水に銀イオンを溶出させる（除菌動作）。それにより、銀イオンを含む洗浄水がおしりノズル２１、ビデノズル２２、ノズル洗浄ノズル２３および便器ノズル４０から噴出される。なお、イオン溶出装置７０の詳細は後述する。
【００７１】
銀イオンは殺菌性を有するので、おしりノズル２１、ビデノズル２２および便器ノズル４０の洗浄水の噴出口に付着する細菌が殺菌される。また、おしりノズル２１およびビデノズル２２の便器７００内に突出する部分がノズル洗浄ノズル２３により洗浄される。これにより、おしりノズル２１およびビデノズル２２の殺菌が確実に行われる。
【００７２】
さらに、便器プレ洗浄時に便器ノズル４０から洗浄水が便器７００の内面の広い範囲に噴出されるので、便器７００の殺菌が確実に行われる。それにより、悪臭の発生を防止することができるとともに、便器７００を清潔に保つことができる。
【００７３】
また、上述したように、本例においては、洗浄水を用いて便器ノズル４０を洗浄することが可能であり、便器ノズル４０の殺菌も確実に行われる。なお、イオン溶出装置７０において溶出されるイオンは、上記の銀イオンの他、殺菌性を有する金属イオンであればよく、例えば、銅イオンまたは亜鉛イオンが用いられてもよい。この場合、イオン溶出装置７０に設けられる銀電極に代えて、銅電極または亜鉛電極が用いられる。
【００７４】
本実施の形態においては、衛生洗浄ユニット（負荷部Ａ２）をトイレ利用本体１００に接続した場合、遠隔操作装置３００や入室検知センサ６００などの情報により、衛生洗浄ユニット（負荷部Ａ２）の洗浄制御部９０が各構成部を制御することで、衛生洗浄ユニット（負荷部Ａ１）とは異なる除菌動作などができる。このように、トイレ利用本体１００に衛生洗浄ユニット（負荷部Ａ２）のような負荷部を接続する場合、トイレ利用本体や他の負荷部の品質を保ちつつ、安価で容易に負荷部を付加することができる。また、衛生洗浄ユニット（負荷部Ａ２）をトイレ利用本体１００から削除する場合でも、トイレ利用本体や他の負荷部の品質を保ちつつ、容易に負荷部を削除することができる。
【００７５】
＜５＞  衛生洗浄ユニット（負荷部Ａ１）のさらに他のバージョンの構成例
図６は、衛生洗浄ユニット（バージョンが負荷部Ａ１）のさらに他のバージョンの構成例（以下、負荷部Ａ３という）を示す模式図である。図６の衛生洗浄ユニット（負荷部Ａ３）が図４の衛生洗浄ユニット（負荷部Ａ１）と異なるのは以下の点で、それ以外の構成並びに作用効果は同じである。
【００７６】
図６の衛生洗浄装置（負荷部Ａ３）においては、配管３における定流量弁６と止水電磁弁７との間から延びる分岐配管３３が設けられている。分岐配管３３には、止水電磁弁３４および便器ノズル４０が設けられている。この場合、洗浄制御部９０により止水電磁弁３４を制御することにより、便器ノズル４０からの洗浄水の噴出の開始および停止を容易に切り替えることができる。また、止水電磁弁３４により便器ノズル４０からの汚水の逆流を確実に防止することができる。
【００７７】
また、分岐配管３３が止水電磁弁７の上流部に設けられているので、便器ノズル４０に十分な圧力で洗浄水を供給することができる。また、止水電磁弁７および止水電磁弁３４を開くことにより、ノズル部２０および便器ノズル４０から同時に洗浄水を噴出させることが可能となる。
【００７８】
本実施の形態においては、衛生洗浄ユニット（負荷部Ａ３）をトイレ利用本体１００に接続した場合、遠隔操作装置３００や入室検知センサ６００などの情報により、衛生洗浄ユニット（負荷部Ａ３）の洗浄制御部９０が各構成部を制御することで、衛生洗浄ユニット（負荷部Ａ１）とは異なる汚水の逆流を確実に防止ことができる。このように、トイレ利用本体１００に衛生洗浄ユニット（負荷部Ａ３）のような負荷部を接続する場合、トイレ利用本体や他の負荷部の品質を保ちつつ、安価で容易に負荷部を付加することができる。また、衛生洗浄ユニット（負荷部Ａ３）をトイレ利用本体１００から削除する場合でも、トイレ利用本体や他の負荷部の品質を保ちつつ、容易に負荷部を削除することができる。
【００７９】
＜６＞  衛生洗浄ユニット（負荷部Ａ１）のさらに他のバージョンの構成例
図７は、衛生洗浄ユニット（バージョンが負荷部Ａ１）のさらに他のバージョンの構成例（以下、負荷部Ａ４）を示す模式図である。図７の衛生洗浄ユニット（負荷部Ａ４）が図４の衛生洗浄ユニット（負荷部Ａ１）と異なるのは以下の点で、それ以外の構成並びに作用効果は同じである。
【００８０】
図７の衛生洗浄ユニット（負荷部Ａ４）においては、配管３に便器用切替弁１４が設けられている。便器用切替弁１４は便器切替弁モータ１４ｍを含む。便器用切替弁１４は、配管３において、分岐配管３０との連結部より上流側でかつ止水電磁弁７より下流側に設けられている。便器用切替弁１４の複数のポートのうちの一つに配管３５が接続されている。便器ノズル４０は、配管３５の先端に設けられている。
【００８１】
この場合、洗浄制御部９０により便器切替弁モータ１４ｍを制御することにより、便器ノズル４０からの洗浄水の噴出の開始および停止を容易に切り替えることができる。また、便器用切替弁１４により便器ノズル４０からの汚水の逆流を確実に防止することができる。
【００８２】
また、分岐配管３５が本体部２００の上流部に設けられているので、便器ノズル４０に十分な圧力で洗浄水を供給することができる。
【００８３】
本実施の形態においては、衛生洗浄ユニット（負荷部Ａ４）をトイレ利用本体１００に接続した場合、遠隔操作装置３００や入室検知センサ６００などの情報により、衛生洗浄ユニット（負荷部Ａ４）の洗浄制御部９０が各構成部を制御することで、衛生洗浄ユニット（負荷部Ａ１）とは異なる汚水の逆流を確実に防止ことができる。このように、トイレ利用本体１００に衛生洗浄ユニット（負荷部Ａ４）のような負荷部を接続する場合、トイレ利用本体や他の負荷部の品質を保ちつつ、容易に負荷部を付加することができる。また、衛生洗浄ユニット（負荷部Ａ４）をトイレ利用本体１００から削除する場合でも、トイレ利用本体や他の負荷部の品質を保ちつつ、容易に負荷部を削除することができる。
【００８４】
＜７＞  衛生洗浄ユニット（負荷部Ａ１）のさらに他のバージョンの構成例
図８は、衛生洗浄ユニット（バージョンが負荷部Ａ１）のさらに他の他のバージョンの構成例（以下、負荷部Ａ５）を示す模式図である。図８の衛生洗浄ユニット（負荷部Ａ５）が図４の衛生洗浄ユニット（負荷部Ａ１）と異なるのは以下の点で、それ以外の構成並びに作用効果は同じである。
【００８５】
図８の衛生洗浄ユニット（負荷部Ａ５）においては、配管１０におけるバッファタンク１２と人体用切替弁１３との間に便器用切替弁１４が設けられている。便器用切替弁１４の複数のポートのうちの一つに配管３５が接続されている。便器ノズル４０は、配管３５の先端に設けられている。
【００８６】
この場合、洗浄制御部９０により便器切替弁モータ１４ｍを制御することにより、便器ノズル４０からの洗浄水の噴出の開始および停止を容易に切り替えることができる。また、便器用切替弁１４により便器ノズル４０からの汚水の逆流を確実に防止することができる。また、配管３５がポンプ１１の下流側に配置されるので、便器ノズル４０に供給される洗浄水の圧力を一定に保つことができる。
【００８７】
また、配管３５が熱交換器９の下流側に配置されるので、便器ノズル４０から温水を噴出させることができる。それにより、便器７００に汚物が付着することをさらに確実に防止することができる。また、温水で便器７００を洗浄することにより、除菌効果が得られる。
【００８８】
本実施の形態においては、衛生洗浄ユニット（負荷部Ａ５）をトイレ利用本体１００に接続した場合、遠隔操作装置３００や入室検知センサ６００などの情報により、衛生洗浄ユニット（負荷部Ａ５）の洗浄制御部９０が各構成部を制御することで、衛生洗浄ユニット（負荷部Ａ１）とは異なり、供給される洗浄水の圧力を一定に保つことができる。
【００８９】
このように、トイレ利用本体１００に衛生洗浄ユニット（負荷部Ａ５）のような負荷部を接続する場合、トイレ利用本体や他の負荷部の品質を保ちつつ、容易に負荷部を付加することができる。また、衛生洗浄ユニット（負荷部Ａ５）をトイレ利用本体１００から削除する場合でも、トイレ利用本体や他の負荷部の品質を保ちつつ、容易に負荷部を削除することができる。
【００９０】
＜８＞  衛生洗浄ユニット（負荷部Ａ１）のさらに他のバージョンの構成例
図９は、衛生洗浄ユニット（負荷部Ａ１）のさらに他のバージョンの構成例（以下、負荷部Ａ６）を示す模式図である。図９の衛生洗浄ユニット（負荷部Ａ６）が図４の衛生洗浄ユニット（負荷部Ａ１）と異なるのは以下の点で、それ以外の構成並びに作用効果は同じである。
【００９１】
図９の衛生洗浄ユニット（負荷部Ａ６）においては、図４の人体用切替弁１３の代わりに切替弁１５が設けられている。切替弁１５は切替弁モータ１５ｍを含む。切替弁１５の複数のポートにおしりノズル２１、ビデノズル２２、ノズル洗浄ノズル２３および配管３６がそれぞれ接続される。配管３６の先端に便器ノズル４０が設けられる。
【００９２】
切替弁１５においては、切替弁モータ１５ｍが動作することによりポンプ１１から圧送された洗浄水が、おしりノズル２１、ビデノズル２２、ノズル洗浄ノズル２３および便器ノズル４０（配管３６）のいずれかに供給される。
【００９３】
本例においては、おしりノズル２１、ビデノズル２２、ノズル洗浄ノズル２３および便
器ノズル４０を共通の切替弁１５に接続することができるので、本体部の構成を簡略化することができる。それにより、トイレ装置の製造コストを低減できる。
【００９４】
本実施の形態においては、衛生洗浄ユニット（負荷部Ａ６）をトイレ利用本体１００に接続した場合、遠隔操作装置３００や入室検知センサ６００などの情報により、衛生洗浄ユニット（負荷部Ａ６）の洗浄制御部９０が各構成部を制御することで、衛生洗浄ユニット（負荷部Ａ１）とは異なる共通の切替弁１５に接続することができる。このように、トイレ利用本体１００に衛生洗浄ユニット（負荷部Ａ６）のような負荷部を接続する場合、トイレ利用本体や他の負荷部の品質を保ちつつ、安価で容易に負荷部を付加することができる。また、衛生洗浄ユニット（負荷部Ａ６）をトイレ利用本体１００から削除する場合でも、トイレ利用本体や他の負荷部の品質を保ちつつ、容易に負荷部を削除することができる。
【００９５】
＜９＞  暖房便座ユニットの構成
図１０は、暖房便座ユニット（負荷部Ｂ）とトイレ利用本体１００の構成を示す模式図である。図１０に示すように、暖房便座ユニット（負荷部Ｂ）は、便座制御部９１、温度測定部４０１、ヒータ駆動部４０２、便座温調ランプＲＡ１および着座センサ６１０を含む。また、暖房便座ユニット（負荷部Ｂ）の便座４００は便座ヒータ４５０およびサーミスタ４０１ａを備える。
【００９６】
便座制御部９１は、例えばマイクロコンピュータおよびその周辺回路などからなり、使用者の入室および便座４００の温度等を判定する判定部、タイマ機能を有する計時部、種々の情報を記憶する記憶部、ならびに、ヒータ駆動部４０２の動作を制御するための通電率切替回路等を含む。
【００９７】
暖房便座ユニット（負荷部Ｂ）の温度測定部４０１は、便座４００のサーミスタ４０１ａに接続されている。これにより、温度測定部４０１は、サーミスタ４０１ａから出力される信号に基づいて便座４００の温度を測定する。以下、サーミスタ４０１ａを通じて温度測定部４０１により測定される便座４００の温度を測定温度値と称する。
【００９８】
また、暖房便座ユニット（負荷部Ｂ）のヒータ駆動部４０２は、便座４００の便座ヒータ４５０に接続されている。これにより、ヒータ駆動部４０２は便座ヒータ４５０を駆動する。なお、この暖房便座ユニット（負荷部Ｂ）は、便座４００に設けたサーミスタ４０１ａと便座ヒータ４５０を設けた便座４００と、それ以外の便座制御部９１、温度測定部４０１、ヒータ駆動部４０２、便座温調ランプＲＡ１および着座センサ６１０の構成のユニットに分離して構成され、後者のユニットのみがトイレ利用本体１００に内蔵されている。
【００９９】
本実施の形態において、暖房便座ユニット（負荷部Ｂ）は次のように動作する。初期設定時では、便座制御部９１がヒータ駆動部４０２を制御することにより、便座４００が例えば約１８℃となるように温度調整される。このときの温度を待機温度と称する。
【０１００】
ここで、使用者が遠隔操作装置３００の便座温度調整スイッチ３３３を操作することにより、便座設定温度がトイレ利用本体１００に無線送信される。トイレ利用本体１００は、受信した信号を暖房便座ユニット（負荷部Ｂ）の便座制御部９１に送信する。受信した信号に基づいて便座制御部９１は便座設定温度を記憶する。
【０１０１】
使用者がトイレ室に入室すると、入室検知センサ６００が使用者の入室を検知する。それにより、使用者の入室検知信号がトイレ利用本体１００に無線送信される。トイレ利用本体１００は、受信した信号を暖房便座ユニット（負荷部Ｂ）の便座制御部９１に送信す
る。
【０１０２】
次に、通常の使用時の動作について説明する。便座制御部９１の判定部は、入室検知センサ６００からの入室検知信号により使用者のトイレ室への入室を検知する。そこで、判定部は、便座４００の測定温度値、および記憶部に記憶された便座設定温度に基づいて便座ヒータ４５０の駆動に関する特定のヒータ制御パターンを選択する。
【０１０３】
通電率切替回路は、選択されたヒータ制御パターンおよび計時部により得られる時間情報に基づいてヒータ駆動部４０２の動作を制御する。それにより、ヒータ駆動部４０２により便座ヒータ４５０が駆動され、便座４００の温度が便座設定温度へと瞬時に上昇される。
【０１０４】
本実施の形態においては、暖房便座ユニット（負荷部Ｂ）をトイレ利用本体１００に接続した場合、遠隔操作装置３００や入室検知センサ６００などの情報により、便座設定温度の記憶や、便座設定温度に基づいて便座ヒータ４５０の駆動に関する特定のヒータ制御をすることができる。
【０１０５】
このように、トイレ利用本体１００に暖房便座ユニット（負荷部Ｂ）のような負荷部を接続することで、トイレ利用本体や他の負荷部の品質を保ちつつ、安価で容易に負荷部を付加することができる。また、暖房便座ユニット（負荷部Ｂ）をトイレ利用本体１００から削除する場合でも、トイレ装置や他の負荷部の品質を保ちつつ、容易に負荷部を削除することができる。
【０１０６】
なお、上記実施の形態におけるトイレ利用本体は、負荷部Ａ１〜Ａ６の６種類の衛生洗浄ユニット、負荷部Ｂの暖房便座ユニットを単独に使用する詳細な実施形態を説明したが、６種類の衛生洗浄ユニットのそれぞれに、接続部を介してトイレ利用本体に接続して暖房便座ユニットを組み合わせて使用することも可能で、さらに図１に示す前記以外の負荷部ＣからＧも、負荷部Ａ１〜Ａ６の負荷部Ａまたは負荷部Ｂと、そして負荷部Ａと負荷部Ｂの組み合わせたものに、組み合わせて使用することも可能である。ただ、負荷部Ｄ、Ｆ、Ｇは単独で使用することも可能である。
【０１０７】
例えば、負荷部Ｃである用便後の洗浄した人体局部を乾燥させる乾燥ユニット、負荷部Ｄであるトイレ室の匂いを浄化する脱臭ユニット、負荷部Ｅである各負荷部の動作、操作情報等の表示ユニット、負荷部Ｂである便座の便座蓋を開閉する負荷部Ｆである開閉ユニット、負荷部Ｇである映像と音楽を観賞できるＡＶ機能ユニット等を接続部を介してトイレ利用本体に接続し、使用することができるもので、本発明と同等の作用効果を期待することができる。
【０１０８】
また、乾燥ユニットはユニット化し、かつ局部へ温風を噴出するファンと電気ヒータ等で構成し、トイレ利用本体に局部洗浄ユニットともに内蔵する。脱臭ユニットはユニット化し、かつ匂いを吸引するファンと吸引された匂いを脱臭する脱臭部等で構成し、トイレ利用本体に衛生洗浄ユニットとともに内蔵する。表示ユニットは、ユニット化したＬＥＤ，液晶基板等で構成し、トイレ利用本体の外面に液晶部、ＬＥＤを露出させてトイレ利用本体に設置する。
【０１０９】
開閉ユニットは、トイレ室への使用者の入室、退室を検知する赤外線センサ等の検知部と前記検知部の信号に基づき便座蓋を開閉するモータ等の駆動部等で構成してユニット化し、トイレ利用本体の外面に検知部を露出し、トイレ利用本体に内蔵する。なお、開閉ユニットは、便座蓋の開閉だけでなく、検知部からの信号で便座蓋が自動開成した後に便座の前に立った使用者が操作入力部から便座開閉の操作をすることで開閉できるようにして
便器を男子小便用に利用し、その後トイレ室から退室で便座、便座蓋とも自動閉成する構成にしても良い。
【０１１０】
ＡＶ機能ユニットは、ユニット化した液晶テレビ受像機で、トイレ利用本体を介して操作信号および電源供給を受けるようにトイレ室の壁に設置する。これ以外に、ラジオ受信機も負荷部として利用できる。
【産業上の利用可能性】
【０１１１】
以上のように、本発明にかかるトイレ利用装置は、トイレ利用本体に接続しトイレ室で使用できる負荷部を種々と容易に変えられるとともに、トイレ利用本体を共用できるもので、他のトイレ室以外に設置できる器具等の用途にも適用できる。
【図面の簡単な説明】
【０１１２】
【図１】本発明の実施の形態１におけるトイレ利用装置を示すブロック図
【図２】同実施の形態１におけるトイレ利用装置で、衛生洗浄ユニットを接続し、便器に設けた斜視図
【図３】同実施の形態１におけるトイレ利用装置の遠隔操作装置の正面図
【図４】同実施の形態１におけるトイレ利用装置で、他の衛生洗浄ユニットを接続した構成図
【図５】同実施の形態１におけるトイレ利用装置で、他の衛生洗浄ユニットを接続した構成図
【図６】同実施の形態１におけるトイレ利用装置で、他の衛生洗浄ユニットを接続した構成図
【図７】同実施の形態１におけるトイレ利用装置で、他の衛生洗浄ユニットを接続した構成図
【図８】同実施の形態１におけるトイレ利用装置で、他の衛生洗浄ユニットを接続した構成図
【図９】同実施の形態１におけるトイレ利用装置で、他の衛生洗浄ユニットを接続した構成図
【図１０】同実施の形態１におけるトイレ利用装置で、暖房便座ユニットを接続した構成図
【符号の説明】
【０１１３】
９０  洗浄制御部（制御部）
９１  便座制御部（制御部）
１００  トイレ利用本体
１１０  操作入力部
１２０  情報通信部
１３０  接続部
１４０  電源部
１５０  負荷部（負荷部Ａ〜Ｇ）
４００  便座
５００  便座蓋
７００  便器
【図１】
2009002033.tif 000003
【図３】
2009002033.tif 000004
【図４】
2009002033.tif 000005
【図５】
2009002033.tif 000006
【図６】
2009002033.tif 000007
【図７】
2009002033.tif 000008
【図８】
2009002033.tif 000009
【図９】
2009002033.tif 000010
【図２】
2009002033.tif 000011
【図１０】
2009002033.tif 000012